(57)【要約】【課題】複数の部品実装ラインを備えた部品実装システムにおいて、割り込み生産時に新規基板種を割り当てる部品実装ラインの選定を合理的に行うことができる部品実装システムおよび部品実装方法を提供することを目的とする。【解決手段】複数の部品実装ラインに割り当てられた基板種の実装基板を製造する部品実装において、生産計画外の割り込み生産に際して新規に複数の部品実装ラインのいずれかに割り当てられる新規基板種の基板データと既に割り当てられている既定基板種の基板データとを比較し、当該部品実装ラインの生産基板種を切り替えるために必要とされる段取り替え作業負荷を部品実装ライン毎に算出し、新規基板種の生産について予想される生産タクトタイムを部品実装ライン毎に算出し、画面表示された段取り替え作業負荷および生産タクトタイムを作業者が参照して、新規基板種が割り当てられる部品実装ラインを決定する。【選択図】図７
2015065382.tif 000002
【特許請求の範囲】
【請求項１】
基板に部品を実装する複数の部品実装装置を連結して構成された部品実装ラインを複数備え、これらの複数の部品実装ラインにそれぞれ割り当てられた基板種の実装基板を製造する部品実装システムであって、
前記基板に実装される部品の部品種についてのデータを少なくとも含む基板データを前記基板種毎に記憶する記憶部と、
新規に前記複数の部品実装ラインのいずれかに割り当てられる新規基板種の前記基板データと既に部品実装ラインに割り当てられている既定基板種の基板データとを比較し、当該部品実装ラインの生産基板種を前記既定基板種から新規基板種へ切り替えるために必要とされる段取り替え作業負荷を前記部品実装ライン毎に算出する段取り替え作業負荷算出部と、
前記新規基板種の生産について予想される生産タクトタイムを前記部品実装ライン毎に算出する生産タクト算出部と、
前記部品実装ライン毎に前記段取り替え作業負荷および生産タクトタイムを表示する表示部とを備えたことを特徴とする部品実装システム。
【請求項２】
複数の前記部品実装ラインのうち、前記新規基板種の割り当ての対象となる部品実装ラインを作業者が選択して指定する部品実装ライン指定部を備え、
前記段取り替え作業負荷算出部および前記生産タクト算出部は、前記部品実装ライン指定部によって指定された部品実装ラインを対象として、前記段取り替え作業負荷の算出および前記生産タクトタイムの算出を行うことを特徴とする請求項１記載の部品実装システム。
【請求項３】
基板に部品を実装する複数の部品実装装置を連結して構成された部品実装ラインを複数備え、これらの複数の部品実装ラインにそれぞれ割り当てられた基板種の実装基板を製造する部品実装方法であって、
前記基板に実装される部品の部品種についてのデータを少なくとも含む基板データを前記基板種毎に記憶する基板データ記憶工程と、
新規に前記複数の部品実装ラインのいずれかに割り当てられる新規基板種の前記基板データと既に部品実装ラインに割り当てられている既定基板種の基板データとを比較し、当該部品実装ラインの生産基板種を前記既定基板種から新規基板種へ切り替えるために必要とされる段取り替え作業負荷を前記部品実装ライン毎に算出する段取り替え作業負荷算出工程と、
前記新規基板種の生産について予想される生産タクトタイムを前記部品実装ライン毎に算出する生産タクト算出工程と、
前記部品実装ライン毎に前記段取り替え作業負荷および生産タクトタイムを表示する表示工程とを含み、
作業者が前記表示工程において表示された前記段取り替え作業負荷および生産タクトタイムを参照することにより、前記新規基板種が割り当てられる部品実装ラインを決定することを特徴とする部品実装方法。
【請求項４】
複数の前記部品実装ラインのうち、前記新規基板種の割り当ての対象となる部品実装ラインを作業者が選択して指定する部品実装ライン指定工程を含み、
前記段取り替え作業負荷算出工程および前記生産タクト算出工程において、前記部品実装ライン指定工程において指定された部品実装ラインを対象として、前記段取り替え作業負荷の算出および前記生産タクトタイムの算出を行うことを特徴とする請求項３記載の部品実装方法。
【発明の詳細な説明】
【技術分野】
【０００１】
本発明は、複数の部品実装ラインを備えた部品実装システムおよびこの部品実装システムにおける部品実装方法に関するものである。
【背景技術】
【０００２】
実装基板を生産する部品実装システムは、一般に複数の部品実装装置を連結した部品実装ラインを複数備えており、各部品実装ラインでは予め作成された生産計画にしたがって部品実装作業が実行される。このような部品実装システムにおいては、計画変更によって生産計画外の基板種が生産対象となるいわゆる割り込み生産が必要とされる場合がある。このような割り込み生産に際しての生産設備の段取り替えを極力効率よく実行するため、各種の対処方法が提案されている（例えば特許文献１参照）。この特許文献例に示す先行技術では、現生産基板の生産に使用されている部品のうちで次生産基板の生産に流用可能な部品の情報を取得するとともに、不足する部品を供給するパーツフィーダを空フィーダスロットに予め搭載するようにしている。これにより、現基板生産中に割り込み生産の基板の生産準備を行うことができる。
【先行技術文献】
【特許文献】
【０００３】
【特許文献１】特開２００７−１０３７３４号公報
【発明の概要】
【発明が解決しようとする課題】
【０００４】
しかしながら上述の特許文献例を含め、従来技術においては割り込み生産に割り当てる部品実装ラインの選定に際して以下のような困難があった。すなわち一般に部品実装システムは設備構成の異なる多数の部品実装ラインによって構成されており、さらに個々の部品実装ラインにおける部品配置は既定の生産計画によって多様であることから、割り込み生産の新規基板種をどの部品実装ラインに割り当てるべきかを合理的に判断することが難しい。このため、割り込み生産への対応は従来より専ら作業者の経験等に基づいて行われており、段取り替え作業負荷や生産タクトタイムの観点からは必ずしも適正な決定がなされているとはいえず、有効な対処策が望まれていた。
【０００５】
そこで本発明は、複数の部品実装ラインを備えた部品実装システムにおいて、割り込み生産時に新規基板種を割り当てる部品実装ラインの選定を合理的に行うことができる部品実装システムおよび部品実装方法を提供することを目的とする。
【課題を解決するための手段】
【０００６】
本発明の部品実装システムは、基板に部品を実装する複数の部品実装装置を連結して構成された部品実装ラインを複数備え、これらの複数の部品実装ラインにそれぞれ割り当てられた基板種の実装基板を製造する部品実装システムであって、前記基板に実装される部品の部品種についてのデータを少なくとも含む基板データを前記基板種毎に記憶する記憶部と、新規に前記複数の部品実装ラインのいずれかに割り当てられる新規基板種の前記基板データと既に部品実装ラインに割り当てられている既定基板種の基板データとを比較し、当該部品実装ラインの生産基板種を前記既定基板種から新規基板種へ切り替えるために必要とされる段取り替え作業負荷を前記部品実装ライン毎に算出する段取り替え作業負荷算出部と、前記新規基板種の生産について予想される生産タクトタイムを前記部品実装ライン毎に算出する生産タクト算出部と、前記部品実装ライン毎に前記段取り替え作業負荷および生産タクトタイムを表示する表示部とを備えた。
【０００７】
本発明の部品実装方法は、基板に部品を実装する複数の部品実装装置を連結して構成された部品実装ラインを複数備え、これらの複数の部品実装ラインにそれぞれ割り当てられた基板種の実装基板を製造する部品実装方法であって、前記基板に実装される部品の部品種についてのデータを少なくとも含む基板データを前記基板種毎に記憶する基板データ記憶工程と、新規に前記複数の部品実装ラインのいずれかに割り当てられる新規基板種の前記基板データと既に部品実装ラインに割り当てられている既定基板種の基板データとを比較し、当該部品実装ラインの生産基板種を前記既定基板種から新規基板種へ切り替えるために必要とされる段取り替え作業負荷を前記部品実装ライン毎に算出する段取り替え作業負荷算出工程と、前記新規基板種の生産について予想される生産タクトタイムを前記部品実装ライン毎に算出する生産タクト算出工程と、前記部品実装ライン毎に前記段取り替え作業負荷および生産タクトタイムを表示する表示工程とを含み、作業者が前記表示工程において表示された前記段取り替え作業負荷および生産タクトタイムを参照することにより、前記新規基板種が割り当てられる部品実装ラインを決定する。
【発明の効果】
【０００８】
本発明によれば、複数の部品実装ラインに割り当てられた基板種の実装基板を製造する部品実装において、生産計画外の割り込み生産に際して新規に複数の部品実装ラインのいずれかに割り当てられる新規基板種の基板データと既に部品実装ラインに割り当てられている既定基板種の基板データとを比較し、当該部品実装ラインの生産基板種を切り替えるために必要とされる段取り替え作業負荷を部品実装ライン毎に算出し、さらに新規基板種の生産について予想される生産タクトタイムを部品実装ライン毎に算出し、画面表示された段取り替え作業負荷および生産タクトタイムを作業者が参照して新規基板種が割り当てられる部品実装ラインを決定することにより、割り込み生産時に新規基板種を割り当てる部品実装ラインの選定を合理的に行うことができる。
【図面の簡単な説明】
【０００９】
【図１】本発明の一実施の形態の部品実装システムの構成を示すブロック図
【図２】本発明の一実施の形態の部品実装ラインを構成する部品実装装置の平面図
【図３】本発明の一実施の形態の部品実装システムにおける上位システムの制御系の構成を示すブロック図
【図４】本発明の一実施の形態の部品実装装置の部品供給部におけるフィーダ配置の説明図
【図５】本発明の一実施の形態の部品実装システムにおける部品実装ライン決定処理を示すフロー図
【図６】本発明の一実施の形態の部品実装システムにおける段取り替えシミュレーション画面を示す図
【図７】本発明の一実施の形態の部品実装システムにおけるライン別シミュレーション結果比較画面を示す図
【発明を実施するための形態】
【００１０】
次に本発明の実施の形態を図面を参照して説明する。まず図１を参照して、部品実装システム１について説明する。図１において、部品実装システム１は、複数の部品実装装置Ｍ１〜Ｍ４を連結して構成された複数の部品実装ラインＬ１，Ｌ２，Ｌ３を備えている。部品実装ラインＬ１，Ｌ２，Ｌ３は、通信ネットワーク２を介して相互に接続されており、さらに上位システム３によって統括して管理される。部品実装システム１の稼働状態では、これらの部品実装ラインＬ１，Ｌ２，Ｌ３にそれぞれ割り当てられた基板種Ａ，Ｂ，Ｃの実装基板を製造する。
【００１１】
図２を参照して、部品実装装置Ｍ１〜Ｍ４の構造を説明する。図２において基台４の中央にはＸ方向（基板搬送方向）に基板搬送機構５が配設されている。基板搬送機構５は上流側から搬入された基板６を搬送し、部品実装作業を実行するために設定された実装ステージに位置決めして保持する。基板搬送機構５の両側方には、部品供給部７が配置されており、それぞれの部品供給部７には複数のテープフィーダ８が並列に装着されている。テープフィーダ８は、電子部品を収納したキャリアテープをピッチ送りすることにより、以下に説明する部品実装機構１３に電子部品を供給する。
【００１２】
基台４上面においてＸ方向の一方側の端部には、リニア駆動機構を備えたＹ軸移動テーブル１０が配設されており、Ｙ軸移動テーブル１０には、同様にリニア駆動機構を備えた２基のＸ軸移動テーブル１１が、Ｙ方向に移動自在に結合されている。２基のＸ軸移動テーブル１１には、それぞれ実装ヘッド１２がＸ方向に移動自在に装着されている。実装ヘッド１２は複数の保持ヘッドを備えた多連型ヘッドであり、それぞれの保持ヘッドの下端部には、電子部品を吸着して保持し個別に昇降可能な吸着ノズル（図示省略）が装着されている。
【００１３】
Ｙ軸移動テーブル１０、Ｘ軸移動テーブル１１を駆動することにより、実装ヘッド１２はＸ方向、Ｙ方向に移動する。これにより２つの実装ヘッド１２は、それぞれ対応した部品供給部７のテープフィーダ８のピックアップ位置から電子部品を取り出して、基板搬送機構５に位置決めされた基板６の実装点に移送搭載する。Ｙ軸移動テーブル１０、Ｘ軸移動テーブル１１および実装ヘッド１２は、電子部品を保持した実装ヘッド１２を移動させることにより、電子部品を基板６に移送搭載する部品実装機構１３を構成する。
【００１４】
部品供給部７と基板搬送機構５との間には、部品認識カメラ９が配設されている。部品供給部７から電子部品を取り出した実装ヘッド１２が部品認識カメラ９上方を移動する際に、部品認識カメラ９は実装ヘッド１２に保持された状態の電子部品を撮像して認識する。実装ヘッド１２にはＸ軸移動テーブル１１の下面側に位置して、それぞれ実装ヘッド１２と一体的に移動する基板認識カメラ１４が装着されている。実装ヘッド１２が移動することにより、基板認識カメラ１４は基板搬送機構５に位置決めされた基板６の上方に移動し、基板６撮像して認識する。実装ヘッド１２による基板６への部品実装動作においては、部品認識カメラ９による電子部品の認識結果と、基板認識カメラ１４による基板認識結果とを加味して搭載位置補正が行われる。
【００１５】
次に図３を参照して、上位システム３の制御系の構成を説明する。ここでは上位システム３の機能のうち、計画変更によって当初の生産計画外の基板種が生産対象となるいわゆる割り込み生産の発生時に、作業者が当該基板を複数の部品実装ラインＬ１．Ｌ２，Ｌ３のうちの１つに割り当てる際に提供される支援機能についてのみ示している。
【００１６】
図３において、上位システム３は演算処理部２０、基板データ記憶部２５、操作・入力部２８、表示部２９および通信部３０を備えている。演算処理部２０は、内部処理機能として部品実装ライン指定部２１、段取り替え作業負荷算出部２２、生産タクト算出部２３、作業開始可能時間算出部２４を含む個別処理部を備えている。基板データ記憶部２５は、部品実装作業を実行するに際して参照される各種のデータを基板種毎に記憶する。ここでは、基板データ記憶部２５にはフィーダ配置データ２６および生産管理データ２７が含まれている。演算処理部２０が基板データ記憶部２５に記憶されたフィーダ配置データ２６や生産管理データ２７を参照して上述各部を機能させることにより、割り込み生産発生時において作業者が当該基板の割り当て対象となる部品実装ラインを決定する際に参照する支援情報が提供される。
【００１７】
ここでフィーダ配置データ２６について、図４を参照して説明する。フィーダ配置データ２６は、部品供給部７におけるテープフィーダ８の配列を当該テープフィーダ８が収納する部品の部品種と関連づけたデータであり、作業対象とする基板種毎に記憶される。図４において、部品供給部７に設けられたフィーダベースには、部品供給部７におけるテープフィーダ８の装着位置を特定するフィーダ番地７ａ（ａ１，ａ２，ａ３・・・）が設定されている。
【００１８】
そしてフィーダ配置データによってテープフィーダ８が配置されるフィーダ番地７ａには、当該フィーダ番地７ａに割り当てられるテープフィーダ８が供給する部品の種類を示す部品種Ｐ（Ｐａ，Ｐｂ，Ｐｃ・・・）が対応している。すなわちフィーダ配置データ２６を記憶する基板データ記憶部２５は、基板６に実装される部品の部品種Ｐについての部品種データを少なくとも含む基板データを、基板種毎に記憶する記憶部となっている。
【００１９】
部品実装作業では、実装されるべき部品種Ｐに対応したフィーダ番地７ａが指定されることにより、部品取り出し対象となるテープフィーダ８が特定される。なお部品供給部７におけるテープフィーダ８の配置に際しては、全てのフィーダ番地７ａにテープフィーダ８が割り当てられるとは限らず、対象とする基板種によっては、テープフィーダ８が装着される使用スロット７ｂと、テープフィーダ８が装着されない空きスロット７ｃとが存在する。
【００２０】
本実施の形態では、割り込み生産における新規基板種の基板データに含まれる部品種のうち、割り込みの対象となる部品実装ラインの既定基板種の基板データには含まれない新規部品種を空きスロット７ｃに追加装着することにより、段取り替え作業を行う。なお、このとき新規部品種の数が空きスロット７ｃの数よりも大きく追加装着に不足する場合には、使用スロット７ｂに既装着のテープフィーダ８のうち、新規基板種の基板データに含まれない部品種を収納したテープフィーダ８を追加装着に不足する分だけ取り外して新たなテープフィーダ８と交換する作業を行う。
【００２１】
生産管理データ２７は各部品実装ラインにて実行される生産作業を管理するために参照されるデータである。この生産管理データ２７には、部品実装作業の生産タクトタイムを算出するためのタクト演算シミュレーションにおいて参照されるタクトタイムデータや、当該部品実装ラインについての生産計画に示される生産スケジュールデータなどが含まれる。これらのデータを参照することにより、割り込み生産時に際しての段取り替え作業の開始可能タイミングや、段取り替え後の当該部品実装ラインの生産タクトタイムの予測が可能となっている。
【００２２】
次に演算処理部２０の各個別処理部の機能を説明する。部品実装ライン指定部２１は、複数の部品実装ラインのうち、新規基板種の割り当ての対象となる部品実装ラインを作業者が選択して指定するための処理を行う。この処理は、割り当て対象として適切と思われる部品実装ラインを作業者が候補ラインとして選択し、操作・入力部２８を介して入力して指定することにより行われる。
【００２３】
段取り替え作業負荷算出部２２は、割り込み生産発生の際に、当該部品実装ラインの生産基板種を既定基板種から新規基板種へ切り替えるために必要とされる段取り替え作業負荷を部品実装ライン毎に算出する処理を行う。この処理は、新規に複数の部品実装ラインのいずれかに割り当てられる新規基板種の基板データと、既に部品実装ラインに割り当てられている既定基板種の基板データとを比較することにより行われる。
【００２４】
本実施の形態では、段取り替え作業負荷として、新規基板種への切り替えに際して追加が必要とされるテープフィーダ８の本数を用いている。このとき、必要とされる本数のテープフィーダ８を追加するために既装着のテープフィーダ８を取り外して新規部品種のテープフィーダ８と交換する必要がある場合には、実際の段取り替え作業はテープフィーダ８の新規装着と交換の２種類の作業となる。
【００２５】
生産タクト算出部２３は、新規基板種の生産について予想される生産タクトタイムを、周知のタクトタイム演算シミュレーション手法を用いて、生産管理データ２７を参照して部品実装ライン毎に算出する。作業開始可能時間算出部２４は、割り込み生産に際して実行される段取り替え作業の作業開始可能時間を、生産管理データ２７に記憶された生産スケジュールデータを参照して算出する処理を行う。
【００２６】
なお段取り替え作業負荷算出部２２および生産タクト算出部２３は、部品実装ライン指定部２１によって指定された部品実装ラインを対象として、段取り替え作業負荷の算出および生産タクトタイムの算出を行う。すなわち、作業者が割り込み生産の対象として明らかに不適であると判断した部品実装ラインは、シミュレーションの対象から除外される。
【００２７】
操作・入力部２８は、キーボードやマウス、表示部２９の表示パネルに組み込まれたタッチパネルなどの入力装置であり、操作コマンドや部品実装ライン指定部２１への指定入力などの入力処理を行う。表示部２９は、液晶パネルなどの表示装置であり、部品実装ライン指定部２１への指定入力など各種入力操作時の案内画面（図６参照）を表示するほか、段取り替え作業負荷算出部２２、生産タクト算出部２３、作業開始可能時間算出部２４によって各部品実装ライン毎に算出されたシミュレーション結果（段取り替え作業負荷、生産タクトタイムおよび作業開始可能時間）の比較画面（図７参照）などを表示する。通信部３０は、通信インターフェイスであり、部品実装システム１を構成する各部品実装ラインとの間での信号の授受を通信ネットワーク２を介して行う。
【００２８】
次に図５を参照して、部品実装システム１による部品実装方法での割り込み生産時における部品実装ライン決定処理のフローについて説明する。なお生産開始に先立って、基板に実装される部品の部品種についてのデータを少なくとも含む基板データを、基板種毎に記憶する（基板データ記憶工程）。ここでは図１に示す部品実装ラインＬ１，Ｌ２，Ｌ３にそれぞれ割り当てられた基板種Ａ，Ｂ，Ｃおよびこれらとは異なる基板種Ｄについての基板データが含まれている。
【００２９】
割り込み生産に際しては、まず最初に対象となる基板種を特定するために、新規基板種の基板データを選択する（ＳＴ１）。この選択は、図６に示すように、表示部２９に表示された段取り替えシミュレーション画面２９ａ上にて、作業者が基板種入力枠３１に基板種を入力することにより行われる。ここでは、図１に示す部品実装ラインＬ１，Ｌ２，Ｌ３にそれぞれ割り当てられた基板種Ａ，Ｂ，Ｃとは異なる基板種Ｄが、新規基板種として入力されている。
【００３０】
次に、候補となる部品実装ラインを選択して指定する（ＳＴ２）（部品実装ライン指定工程）。すなわち段取り替えシミュレーション画面２９ａ上にて、作業者がライン番号入力枠３２に候補となる部品実装ラインのライン番号を入力する。ここに示す例では、作業者が割り込み生産の対象として不適当と判断した部品実装ラインＬ３を予め除外して、ライン番号１，２が入力されている。そして段取り替えシミュレーション画面２９ａ上の実行操作ボタン３３を操作することにより、段取り替え作業負荷算出部２２、生産タクト算出部２３、作業開始可能時間算出部２４による演算処理が実行される。
【００３１】
この演算処理では、まず指定した部品実装ラインＬ１の既定基板種の基板データを読み出す（ＳＴ３）。ここでは最初に部品実装ラインＬ１の既定基板種である基板種Ａについての基板データが読み出される。次いで新規基板種の基板データと指定した部品実装ラインＬ１の既定基板種の基板データを比較する（ＳＴ４）。すなわち新規基板種として入力された基板種Ｄの基板データと基板種Ａの基板データとが比較される。
【００３２】
次いで上述の比較結果に基づいて、指定した部品実装ラインＬ１の段取り替え作業負荷を段取り替え作業負荷算出部２２により算出するとともに（ＳＴ５）（段取り替え作業負荷算出工程）、指定した部品実装ラインの生産タクトタイムを生産タクト算出部２３により算出する（ＳＴ６）（生産タクト算出工程）。さらに指定した部品実装ラインの段取り替え作業開始可能時間を作業開始可能時間算出部２４により算出する（ＳＴ７）。
【００３３】
そして指定した全ての部品実装ラインについて処理完了したか否かを判断する（ＳＴ８）。処理未完了であれば（ＳＴ３）に戻って残余の部品実装ラインについて同様の演算処理を反復実行する。すなわち本実施の形態では、段取り替え作業負荷算出部２２、生産タクト算出部２３、作業開始可能時間算出部２４は、部品実装ライン指定部２１にによって指定された部品実装ラインを対象として、段取り替え作業負荷の算出、生産タクトタイムの算出、段取り替え作業開始可能時間の算出を行うようにしている。
【００３４】
そして（ＳＴ８）にて全ての部品実装ラインについて処理完了が確認されたならば、段取り替え作業負荷、生産タクトタイム、段取り替え作業開始可能時間を部品実装ライン毎に表示する（表示工程）（ＳＴ９）。すなわち図７に示すライン別シミュレーション結果比較画面２９ｂには、確認表示欄３７に示す基板種Ｄ、ライン番号１，２についてのライン別シミュレーション結果が表示される。
【００３５】
ここでは、段取り替え作業負荷情報３４として、部品実装ラインＬ１，Ｌ２のそれぞれを対象とする場合において追加または交換が必要とされるテープフィーダ８の作業本数が表示される。作業本数には、新規のテープフィーダ８の追加本数、既装着のテープフィーダ８との交換本数が含まれている。ここに示す例では、部品実装ラインＬ１，Ｌ２のそれぞれについて、算出された作業本数が１０本、２５本となっている。
【００３６】
また生産タクト情報３５としては、生産管理データ２７に規定されたタクト算定データに基づいてタクトシミュレーション演算を行った結果の生産タクトタイムが表示される。ここに示す例では、部品実装ラインＬ１，Ｌ２のそれぞれについて、基板１枚あたりの所要時間を示す生産タクトタイムの演算結果が、２０ｓ／枚、１８ｓ／枚となっている。
【００３７】
さらに作業開始可能時間３６としては、各部品実装ラインにて実行中の生産作業を中断して割り込み生産のための段取り替え作業を開始できるタイミングを示す作業開始可能時間が、生産管理データ２７に記憶されたスケジュールデータに基づき表示される。すなわち、生産スケジュール中における基板種毎のロット切り替えタイミングなど、作業中断が許容されるタイミングを予め設定された基準に基づいて抽出し、そのタイミングに対応する具体的な時刻を生産計画上の生産予定枚数と生産タクトタイムより算出して、作業開始可能時間として部品実装ライン毎に表示する。ここに示す例では、部品実装ラインＬ１，Ｌ２のそれぞれについて、１３：００、１２：５０から段取り替え作業を開始可能であることが示されている。
【００３８】
そしてこの表示結果を参照して、新規基板種が割り当てられる部品実装ラインを決定する（ＳＴ１０）。すなわち、作業者は新規基板種である基板種Ｄの割り込み生産の対象とすべき部品実装ラインを、画面表示されたシミュレーション結果を参照して決定する。この部品実装ラインの決定においては、設備ユーザに判断が委ねられており、作業者は当該生産現場の状況を勘案して、シミュレーション結果の項目のうちいずれを優先させるかを判断する。
【００３９】
例えば図７に示す例において、部品実装ラインＬ１は段取り替え作業負荷は部品実装ラインＬ２よりも格段に大きいものの、生産開始後の生産性を示す生産タクトの面では、部品実装ラインＬ２よりも優れている。このような場合にて、当該生産現場において段取り替え作業に投入できる作業者数が確保されている場合には、段取り替え作業負荷が大きいことは必ずしも作業効率面での妨げとはならないことから、部品実装ラインＬ１が割り込み生産の対象として決定される。これに対し、段取り替え作業に投入できる作業者数が少ない場合には、段取り替え作業の遅延を避けるため、段取り替え作業負荷が小さい部品実装ラインＬ２を優先して、割り込み生産の対象として決定する。
【００４０】
上記説明したように、本実施の形態に示す部品実装システムおよび部品実装方法では、複数の部品実装ラインに割り当てられた基板種の実装基板を製造する部品実装において、生産計画外の割り込み生産に際して新規に複数の部品実装ラインのいずれかに割り当てられる新規基板種の基板データと既に部品実装ラインに割り当てられている既定基板種の基板データとを比較し、当該部品実装ラインの生産基板種を切り替えるために必要とされる段取り替え作業負荷を部品実装ライン毎に算出し、さらに新規基板種の生産について予想される生産タクトタイムを部品実装ライン毎に算出し、作業者が段取り替え作業負荷および生産タクトタイムを参照して新規基板種が割り当てられる部品実装ラインを決定するようにしている。これにより、割り込み生産時に新規基板種を割り当てる部品実装ラインの選定を合理的に行うことができる。
【産業上の利用可能性】
【００４１】
本発明の部品実装システムおよび部品実装方法は、複数の部品実装ラインを備えた部品実装システムにおいて、割り込み生産時に新規基板種を割り当てる部品実装ラインの選定を合理的に行うことができるという効果を有し、複数の部品実装ラインにそれぞれ割り当てられた基板種の実装基板を製造する分野において有用である。
【符号の説明】
【００４２】
１  部品実装システム
２  通信ネットワーク
６  基板
７  部品供給部
８  テープフィーダ
Ｌ１〜Ｌ３  部品実装ライン
Ｍ１〜Ｍ４  部品実装装置
【図１】
2015065382.tif 000003
【図２】
2015065382.tif 000004
【図３】
2015065382.tif 000005
【図４】
2015065382.tif 000006
【図５】
2015065382.tif 000007
【図６】
2015065382.tif 000008
【図７】
2015065382.tif 000009